(57)【要約】【課題】  マルチ連写モードで撮影された画像を自動的に識別し、煩雑な操作を要求することなくユーザーの意図に沿った再生を可能とする手段を提供する。【解決手段】  画像再生装置は、読込手段と、表示インターフェースと、画像処理部と、制御部とを備える。読込手段は、連写撮影で取得された複数の縮小画像を１フレームに合成した合成画像データと、画像データの種類が合成画像データであることを示す識別データを記録したヘッダファイルとを読み込む。表示インターフェースは、画像データの再生画像をモニタに出力する。画像処理部は、合成画像データの各々の縮小画像に対応する表示画像を生成する。制御部は、識別データに基づいて画像データから合成画像データを識別するとともに、合成画像データの再生時において各々の表示画像を自動切り替えでモニタに表示させる。【選択図】  図１
2007135061.tif 000002
【特許請求の範囲】
【請求項１】
被写体からの光束を光電変換してスチル画像を生成する撮像部と、
前記撮像部が連写撮影で生成したスチル画像をそれぞれ縮小して縮小画像を生成するとともに、複数フレームの前記縮小画像を１フレームに合成して合成画像データを生成する画像処理部と、
前記スチル画像の連写速度のデータおよび前記縮小画像の画像サイズを算出するためのデータの少なくとも一方と、画像データの種類が前記合成画像データであることを示す識別データとを記録したヘッダファイルを生成し、該ヘッダファイルを前記合成画像データに対応付けして出力する制御部と、
を備えることを特徴とする電子カメラ。
【請求項２】
請求項１に記載の電子カメラにおいて、
前記制御部は、前記合成画像データを連続して生成した場合に、前回に撮影された前記合成画像データを示すデータと、前回の前記合成画像データでの最終フレームの撮影から今回の前記合成画像データでの第１フレームの撮影までの時間を示す撮影間隔データとを前記ヘッダファイルにさらに記録することを特徴とする電子カメラ。
【請求項３】
連写撮影で取得された複数の縮小画像を１フレームに合成した合成画像データと、画像データの種類が前記合成画像データであることを示す識別データを記録したヘッダファイルとを読み込む読込手段と、
前記画像データの再生画像をモニタに出力する表示インターフェースと、
前記合成画像データの各々の縮小画像に対応する表示画像を生成する画像処理部と、
前記識別データに基づいて前記画像データから前記合成画像データを識別するとともに、前記合成画像データの再生時において各々の前記表示画像を自動切り替えで前記モニタに表示させる制御部と、
を備えることを特徴とする画像再生装置。
【請求項４】
請求項３に記載の画像再生装置において、
前記ヘッダファイルには前記連写撮影での連写速度のデータがさらに記録され、
前記制御部は、前記連写速度に基づいて前記表示画像の表示切り替えのタイミングを決定することを特徴とする画像再生装置。
【請求項５】
請求項３に記載の画像再生装置において、
外部からの入力を受け付ける操作部をさらに備え、
前記制御部は、前記操作部からの入力に基づいて前記表示画像の表示切り替えのタイミングを決定することを特徴とする画像再生装置。
【請求項６】
請求項３から請求項５のいずれかに記載の画像再生装置において、
前記ヘッダファイルには、前回に撮影された前記合成画像データを示すデータと、前回の前記合成画像データでの最終フレームの撮影から今回の前記合成画像データでの第１フレームの撮影までの時間を示す撮影間隔データとがさらに記録され、
前記制御部は、複数の前記合成画像データが撮影順に再生された場合に、前記合成画像データの最終フレームに対応する表示画像と次の前記合成画像データの第１フレームに対応する表示画像との表示切り替えのタイミングを、前記撮影間隔データに基づいて決定することを特徴とする画像再生装置。
【請求項７】
請求項３から請求項６のいずれかに記載の画像再生装置において、
前記制御部は、前記合成画像データの再生画像を前記モニタに１フレームで表示させる通常再生モードと、前記合成画像データの再生時に各々の前記表示画像を自動切り替えで前記モニタに表示させる自動切り替えモードとを選択可能であることを特徴とする画像再生装置。
【請求項８】
請求項３から請求項７のいずれかに記載の画像再生装置において、
前記ヘッダファイルには前記縮小画像の画像サイズを算出するためのデータがさらに記録され、
前記制御部は、前記ヘッダファイルから前記縮小画像の画像サイズを取得するとともに、前記縮小画像の画像サイズに基づいて前記表示画像の画像サイズを変更することを特徴とする画像再生装置。
【発明の詳細な説明】
【技術分野】
【０００１】
本発明は、連写撮影で取得された複数の縮小画像を１フレームに合成可能な電子カメラと、上記の画像を再生する画像再生装置に関する。
【背景技術】
【０００２】
近年の電子カメラには、連写撮影による複数のスチル画像を１フレームに合成して保存する連写モード（一般にマルチ連写モードと称されている）を備えたものが知られている。また、特許文献１には、マルチ連写モードによる合成画像から個々の静止画像を切り出して撮影順に表示しうる画像再生装置が開示されている。
【特許文献１】特許３２５３５３８号公報
【発明の開示】
【発明が解決しようとする課題】
【０００３】
しかし、上記特許文献１の技術では、上記の合成画像から個々の静止画像を切り出して撮影順に鑑賞しようとする場合、予め合成画像から動画ファイルを作成しなければならない。そのため、再生の準備段階でユーザーに煩雑な操作を強いる点で改善の余地があった。
本発明は上記従来技術の課題を解決するためのものであって、その目的は、マルチ連写モードで撮影された画像を自動的に識別し、煩雑な操作を要求することなくユーザーの意図に沿った再生を可能とする電子カメラおよび画像再生装置を提供することである。
【課題を解決するための手段】
【０００４】
第１の発明に係る電子カメラは、撮像部と、画像処理部と、制御部とを備える。撮像部は、被写体からの光束を光電変換してスチル画像を生成する。画像処理部は、撮像部が連写撮影で生成したスチル画像をそれぞれ縮小して縮小画像を生成するとともに、複数フレームの縮小画像を１フレームに合成して合成画像データを生成する。制御部は、スチル画像の連写速度のデータおよび縮小画像の画像サイズを算出するためのデータの少なくとも一方と、画像データの種類が合成画像データであることを示す識別データとを記録したヘッダファイルを生成し、該ヘッダファイルを合成画像データに対応付けして出力する。
【０００５】
第２の発明は、第１の発明において、制御部は、合成画像データを連続して生成した場合に、前回に撮影された合成画像データを示すデータと、前回の合成画像データでの最終フレームの撮影から今回の合成画像データでの第１フレームの撮影までの時間を示す撮影間隔データとをヘッダファイルにさらに記録することを特徴とする。
第３の発明に係る画像再生装置は、読込手段と、表示インターフェースと、画像処理部と、制御部とを備える。読込手段は、連写撮影で取得された複数の縮小画像を１フレームに合成した合成画像データと、画像データの種類が合成画像データであることを示す識別データを記録したヘッダファイルとを読み込む。表示インターフェースは、画像データの再生画像をモニタに出力する。画像処理部は、合成画像データの各々の縮小画像に対応する表示画像を生成する。制御部は、識別データに基づいて画像データから合成画像データを識別するとともに、合成画像データの再生時において各々の表示画像を自動切り替えでモニタに表示させる。
【０００６】
第４の発明は、第３の発明において、ヘッダファイルには連写撮影での連写速度のデータがさらに記録される。そして、制御部は、連写速度に基づいて表示画像の表示切り替えのタイミングを決定する。
第５の発明は、第３の発明において、外部からの入力を受け付ける操作部をさらに備える。そして、制御部は、操作部からの入力に基づいて表示画像の表示切り替えのタイミングを決定する。
【０００７】
第６の発明は、第３から第５のいずれかの発明において、ヘッダファイルには、前回に撮影された合成画像データを示すデータと、前回の合成画像データでの最終フレームの撮影から今回の合成画像データでの第１フレームの撮影までの時間を示す撮影間隔データとがさらに記録される。そして、制御部は、複数の合成画像データが撮影順に再生された場合に、合成画像データの最終フレームに対応する表示画像と次の合成画像データの第１フレームに対応する表示画像との表示切り替えのタイミングを、撮影間隔データに基づいて決定する。
【０００８】
第７の発明は、第３から第６のいずれかの発明において、制御部は、合成画像データの再生画像をモニタに１フレームで表示させる通常再生モードと、合成画像データの再生時に各々の表示画像を自動切り替えでモニタに表示させる自動切り替えモードとを選択可能である。
第８の発明は、第３から第７のいずれかの発明において、ヘッダファイルには縮小画像の画像サイズを算出するためのデータがさらに記録される。そして、制御部は、ヘッダファイルから縮小画像の画像サイズを取得するとともに、縮小画像の画像サイズに基づいて表示画像の画像サイズを変更する。
【０００９】
なお、上記発明に関する構成を、第３から第８のいずれかの発明に対応する画像再生プログラムや、該プログラムを記録した記録媒体などに変換して表現したものも本発明の具体的態様として有効である。
【発明の効果】
【００１０】
本発明によれば、マルチ連写モードの合成画像の識別が画像再生装置にとって容易となるとともに、ユーザーは煩雑な操作を行うことなく合成画像の個々の静止画像を動画的に鑑賞することが可能となる。
【発明を実施するための最良の形態】
【００１１】
以下、図面に基づいて本発明の実施形態の電子カメラおよび画像再生装置をそれぞれ説明する。
（本実施形態の電子カメラの説明）
図１は、本実施形態の電子カメラの構成を示すブロック図である。この電子カメラは、撮影モードの１つとして「マルチ連写モード」を選択可能である。「マルチ連写モード」では、電子カメラは連写撮影で複数フレームのスチル画像を生成するとともに、複数フレームのスチル画像を１フレームに合成して合成画像データを生成する。
【００１２】
電子カメラは、撮影レンズ１１と、撮像素子１２と、Ａ／Ｄ変換部１３と、バッファメモリ１４と、画像処理部１５と、記録Ｉ／Ｆ１６と、操作部材１７と、通信Ｉ／Ｆ１８と、表示Ｉ／Ｆ１９およびモニタ２０と、ＣＰＵ２１およびデータバス２２とを有している。なお、バッファメモリ１４、画像処理部１５、記録Ｉ／Ｆ１６、通信Ｉ／Ｆ１８、表示Ｉ／Ｆ１９およびＣＰＵ２１は、データバス２２を介して接続されている。
【００１３】
撮像素子１２は、撮影レンズ１１を通過した光束を光電変換して被写体像のアナログ画像信号を生成する。なお、撮像素子１２は、非レリーズ時（撮影待機時）にも所定間隔毎に被写体を露光してアナログ画像信号（スルー画像信号）を出力する。このスルー画像信号は、ＣＰＵ２１によるＡＦ演算およびＡＥ演算の生成などに使用される。
Ａ／Ｄ変換部１３は撮像素子１２のアナログ画像信号をデジタル画像信号に変換する。バッファメモリ１４は、画像処理部１５での画像処理の前工程および後工程でデータを一時的に保存する。なお、「マルチ連写モード」の撮影では、連写撮影による複数のスチル画像がバッファメモリ１４に一時的に記録されることとなる。
【００１４】
画像処理部１５は、デジタル画像信号に画像処理（欠陥画素補正、ガンマ補正、補間、色変換、エッジ強調など）を施して撮影画像データを生成する。また、画像処理部１５は、撮影画像データに対してＪＰＥＧ形式等による圧縮処理を施す。
また、「マルチ連写モード」の撮影では、画像処理部１５は連写撮影による各々のスチル画像の解像度を変換して縮小画像を生成するとともに、複数の縮小画像を１フレームに合成して合成画像を生成する。
【００１５】
記録Ｉ／Ｆ１６には、記録媒体２３を接続するためのコネクタが形成されている。記録媒体２３は公知の半導体メモリ、小型ハードディスク、光ディスクなどで構成される。記録Ｉ／Ｆ１６は、記録媒体２３に対する撮影画像データ等の書き込み／読み込みを制御する。なお、図１では、半導体メモリを内蔵したカード型記録媒体を一例として図示する。
操作部材１７は入力釦やレリーズ釦などを備えている。操作部材１７の入力釦はユーザーによる入力操作を受け付ける。例えば、入力釦は、電子カメラの撮影モードの切り換え入力や、撮影画像の画像サイズ（画素数）、「マルチ連写モード」での連写フレーム数および連写速度の設定入力などを受け付ける。
【００１６】
通信Ｉ／Ｆ１８には、ＵＳＢ（Universal Serial Bus）やＩＥＥＥ１３９４などのシリアル通信規格の接続端子を有している。そして、通信Ｉ／Ｆ１８は、接続端子を介して接続された外部機器（画像再生装置等）とのデータ送受信を、上記のシリアル通信規格に準拠して制御する。なお、通信Ｉ／Ｆ１８は、ＩＥＥＥ８０２．１１の規定に準拠した無線通信や、Ｂｌｕｅｔｏｏｔｈ（登録商標）による無線通信で外部機器とのデータ送受信を行うものであってもよい。
【００１７】
表示Ｉ／Ｆ１９にはモニタ２０が接続されている。この表示Ｉ／Ｆ１９は、ＣＰＵ２１からの指示に応じて各種の映像信号をモニタ２０に出力する。また、モニタ２０は、例えば電子カメラの背面部分に配置される。モニタ２０には、例えば画像データの再生画像や、電子カメラの各種設定を変更するための設定画面などが表示される。
ＣＰＵ２１は、所定のシーケンスプログラムに従って電子カメラの各部動作を制御する。また、ＣＰＵ２１はスルー画像信号に基づいて公知のコントラスト方式のＡＦ演算や公知のＡＥ演算などを実行する。また、ＣＰＵ２１は時計機能を有している。
【００１８】
また、ＣＰＵ２１は、撮影時において撮影条件等を記録したヘッダファイルをＥｘｉｆ（Exchangeable image file format for digital still cameras）規格に準拠して生成する。このヘッダファイルは撮影画像データに対応付けされた状態で記録される。すなわち、撮影時に生成される各画像ファイルは、撮影画像データとヘッダファイルとで構成されることとなる。
【００１９】
次に、図２の流れ図を参照しつつ、本実施形態の電子カメラの「マルチ連写モード」での動作を説明する。
ステップ１０１：電子カメラのＣＰＵ２１は、ユーザーのモード変更入力を操作部材１７を介して受け付ける。そして、ＣＰＵ２１はユーザーの入力により撮影モードをマルチ連写モードに設定する。
【００２０】
ステップ１０２：ＣＰＵ２１は、ユーザーによる「マルチ連写モード」での各種設定入力を操作部材１７を介して受け付ける。上記の設定入力の内容としては、連写フレーム数、連写速度、１フレーム当たりの画像サイズ（画素数）などが該当する。なお、ＣＰＵ２１は、ユーザーの操作に応じてＳ１０２での設定入力工程を省略することもある。この場合には、ＣＰＵ２１は設定画面等で予め設定された内容で「マルチ連写モード」の撮影動作を実行することとなる。
【００２１】
ステップ１０３：ＣＰＵ２１は、ユーザーによるレリーズ釦の全押し操作（レリーズ指示）があるか否かを判定する。全押し操作がある場合（ＹＥＳ側）にはＳ１０４に移行する。一方、全押し操作のない場合（ＮＯ側）には、ＣＰＵ２１はレリーズ釦の全押し操作を待機する。
ステップ１０４：ＣＰＵ２１は、Ｓ１０２での設定にしたがって被写体の連写撮影を実行する。連写撮影における各フレームの撮影では、撮像素子１２がスチル画像の画像信号を出力するとともに、画像処理部１５が各々のスチル画像の解像度を変換して縮小画像を生成する。そして、縮小画像の画像データはバッファメモリ１４に順次蓄積される。そして、画像処理部１５は、複数の縮小画像を１フレームに合成して合成画像の画像データを生成する。なお、図３に、１６フレームの縮小画像を１フレームに合成した合成画像の一例を示す。
【００２２】
ステップ１０５：ＣＰＵ２１は連写撮影の最終フレームの撮影時間をバッファメモリ１４に記録する。この撮影時間のデータは、連続して合成画像を撮影した場合に２つの合成画像間の撮影間隔を取得するために利用される。
ステップ１０６：ＣＰＵ２１は、２回連続して合成画像が生成されているか否か（前回の撮影もマルチ連写であったか）を判定する。上記条件に合致する場合（ＹＥＳ側）にはＳ１０７に移行する。一方、上記条件に合致しない場合（ＮＯ側）にはＳ１０８に移行する。なお、Ｓ１０６では、ＣＰＵ２１は前回撮影分の最終フレームの撮影時間がバッファメモリ１４に記録されているか否かで判定を行う。
【００２３】
ステップ１０７：ＣＰＵ２１は前回撮影分の最終フレームの撮影時間（Ｓ１０５）と今回の第１フレームの撮影時間とから、２つの合成画像間での撮影間隔のデータを取得する。
ステップ１０８：ＣＰＵ２１は、合成画像の撮影条件（Ｓ１０２）などを記録したヘッダファイルを生成する。このＣＰＵ２１によるヘッダファイルの編集は、バッファメモリ１４のワークエリアを利用して行われる。そして、ＣＰＵ２１は、合成画像の画像データとヘッダファイルとからなる画像ファイルを記録媒体に記録する。
【００２４】
ここで、ＣＰＵ２１は（１）合成画像データを示す識別情報、（２）連写フレーム数、（３）連写速度、（４）縮小画像の画像サイズ（縦横の画素数）、（５）直前に撮影された合成画像のファイル名および２つの合成画像間での撮影間隔（Ｓ１０７）、などの各データをヘッダファイルに記録する。もちろん、上記（５）のデータは合成画像を連続して撮影した場合のみ記録される。
【００２５】
なお、Ｅｘｉｆ規格ではマルチ連写による合成画像のデータに関してはサポートされていないため、ＣＰＵ２１はＥｘｉｆ規格のＭａｋｅｒＮｏｔｅタグ（未定義のタグ）を利用して上記の各データを記録する。
ステップ１０９：ＣＰＵ２１は、操作部材１７から撮影終了の指示があったか否かを判定する。撮影終了の場合（ＹＥＳ側）には、ＣＰＵ２１は「マルチ連写モード」での処理を終了する。一方、撮影継続の場合（ＮＯ側）にはＳ１０２に戻ってＣＰＵ２１は上記動作を繰り返す。
【００２６】
（本実施形態の画像再生装置の説明）
図４は、本実施形態の画像再生装置の構成を示すブロック図である。画像再生装置は、ＣＰＵ３１と、メモリ３２と、記録部３３と、通信Ｉ／Ｆ３４と、表示Ｉ／Ｆ３５と、記録媒体読取部３６と、入力手段３７とを有している。
ＣＰＵ３１は、画像再生プログラムに従って画像再生装置の各部動作を制御する。メモリ３２は、ＣＰＵ３１が処理するデータや実行頻度の高いプログラム等が一時的に記録される。記録部３３は、例えばハードディスクなどで構成される。この記録部３３には、画像再生プログラムを含む各種のプログラムや電子カメラで生成された画像ファイルなどが記録される。
【００２７】
通信Ｉ／Ｆ３４は、ＵＳＢやＩＥＥＥ１３９４などのシリアル通信規格の接続端子を有している。そして、通信Ｉ／Ｆ３４は、接続端子を介して接続された外部機器（電子カメラ等）とのデータ送受信を上記のシリアル通信規格に準拠して制御する。なお、通信Ｉ／Ｆ３４は、ＩＥＥＥ８０２．１１の規定に準拠した無線通信や、Ｂｌｕｅｔｏｏｔｈ（登録商標）による無線通信で外部機器とのデータ送受信を行うものであってもよい。
【００２８】
表示Ｉ／Ｆ３５にはモニタ３８が接続されている。このモニタ３８には画像再生プログラムの実行時において各画像ファイルの再生画像などが表示される。記録媒体読取部３６は、画像ファイルを記録した記録媒体（カード型記録媒体、小型ハードディスク、光ディスクなど）を接続するためのコネクタが形成されている。そして、記録媒体読取部３６は、記録媒体からデータを読み込む。また、入力手段３７は、ユーザーからの各種の入力操作を受け付ける。
【００２９】
次に、図５および図６の流れ図を参照しつつ、本実施形態の画像再生装置の動作を説明する。
ステップ２０１：画像再生装置のＣＰＵ３１は、入力手段３７を介してユーザーによる再生設定入力を受け付ける。このＳ２０１では、「再生時の解像度設定」、「合成画像の表示設定」などがＣＰＵ３１に入力される。
【００３０】
ここで、「再生時の解像度設定」では、再生画像を表示するモニタ３８の種類（ＮＴＳＣ、ＰＡＬ、ＨＤＴＶなど）等がＣＰＵ３１に入力される。そして、ＣＰＵ３１は、モニタ３８の解像度に応じて再生画像の画像サイズ（画素数）を決定する。また、「合成画像の表示設定」は、マルチ連写モードによる画像ファイルに関する設定である。より具体的には、「合成画像を複数フレームに切り出して表示するか否か」、「合成画像を複数フレームで表示する場合の画像切り替え速度の指定」などがＣＰＵ３１に入力される。
【００３１】
ステップ２０２：ＣＰＵ３１は、ユーザーによる画像ファイルの再生指示（どの画像ファイルを再生するか）を入力手段３７を介して受け付ける。そして、ＣＰＵ３１は、ユーザーによって指定された画像ファイルを再生対象として順次再生処理を実行する。ここで、ＣＰＵ３１が再生する画像ファイルは、記録媒体読取部３６を介して記録媒体から読み込まれた画像ファイルや、通信Ｉ／Ｆ３４を介して電子カメラ等から読み込まれた画像ファイルや、記録部３３に予め記録された画像ファイルが含まれる。
【００３２】
ステップ２０３：ＣＰＵ３１は、再生対象が合成画像か否か（ヘッダファイルに合成画像データを示す識別情報があるか）を判定する。上記条件に合致する場合（ＹＥＳ側）にはＳ２０４に移行する。一方、上記条件に合致しない場合（ＮＯ側）にはＳ２１５に移行する。
ステップ２０４：ＣＰＵ３１は、「合成画像を複数フレームに切り出して表示する（Ｓ２０１）」設定か否かを判定する。上記条件に合致する場合（ＹＥＳ側）にはＳ２０５に移行する。一方、上記条件に合致しない場合（ＮＯ側）にはＳ２１５に移行する。
【００３３】
ステップ２０５：ＣＰＵ３１は、ヘッダファイルの「縮小画像の画像サイズ」のデータに基づいて合成画像から縮小画像を切り出して、連写フレーム数分の縮小画像を生成する。
ステップ２０６：ＣＰＵ３１は、「再生時の解像度設定（Ｓ２０１）」による画像サイズと、ヘッダファイルの「縮小画像の画像サイズ」との比（縮小画像／再生画像の値）を演算する。そして、ＣＰＵ３１は縮小画像／再生画像の値が閾値以上となるか否かを判定する。上記条件に合致する場合（ＹＥＳ側）にはＳ２０７に移行する。一方、上記条件に合致しない場合（ＮＯ側）にはＳ２０８に移行する。
【００３４】
ステップ２０７：この場合は、縮小画像をモニタ３８の解像度に合わせて拡大表示してもさほど見苦しい画像とはならない。そのため、ＣＰＵ３１は、各々の縮小画像をＳ２０１での画像サイズに変換して表示画像を生成する（図７（ａ）参照）。
ステップ２０８：この場合は、縮小画像をモニタ３８の解像度に合わせて拡大表示すると、他の再生画像と比べて見苦しい画像となる可能性が高い。そのため、ＣＰＵ３１は、各々の縮小画像をＳ２０１の画像サイズよりも小さい画像サイズに変換して表示画像を生成する。この場合、モニタ３８には各々の表示画像が通常の再生画像よりも小さく表示される（図７（ｂ）参照）。
【００３５】
ステップ２０９：ＣＰＵ３１は、「画像切り替え速度の指定（Ｓ２０１）」がないか否かを判定する。上記条件に合致する場合（ＹＥＳ側）にはＳ２１０に移行する。一方、上記条件に合致しない場合（ＮＯ側）にはＳ２１４に移行する。
ステップ２１０：ＣＰＵ３１は、再生対象のヘッダファイルに「直前に撮影された合成画像のファイル名および２つの合成画像間での撮影間隔」のデータがないか否かを判定する。上記条件に合致する場合（ＹＥＳ側）にはＳ２１１に移行する。一方、上記条件に合致しない場合（ＮＯ側）にはＳ２１２に移行する。
【００３６】
ステップ２１１：この場合には、ＣＰＵ３１はヘッダファイルの「連写速度」のデータに基づいて、表示画像の表示切り替えのタイミングを決定する。そして、ＣＰＵ３１は、撮影時の連写速度に合わせて各々の表示画像を撮影順に自動切り替えで表示する（図８参照）。なお、表示終了後にＣＰＵ３１はＳ２１６に移行する。
ステップ２１２：ＣＰＵ３１は、「直前に撮影された合成画像（Ｓ２１０）」が直前に再生されたか否かを判定する。上記条件に合致する場合（ＹＥＳ側）にはＳ２１３に移行する。一方、上記条件に合致しない場合（ＮＯ側）にはＳ２１１に移行する。
【００３７】
ステップ２１３：この場合は、連続撮影された合成画像が撮影順に再生された場合に該当する。このとき、ＣＰＵ３１は、前回の最終フレームの表示時点を基準として上記の撮影間隔（Ｓ２１０）が経過した後に、Ｓ２１１と同様の方法で今回の合成画像の表示を実行する。すなわち、Ｓ２１３の場合には、先の合成画像の最終フレームから次の合成画像の第１フレームまでが実際の撮影間隔と同じ時間をおいて再生されることとなる（図９参照）。なお、表示終了後にＣＰＵ３１はＳ２１６に移行する。
【００３８】
ステップ２１４：この場合には、ＣＰＵ３１は、Ｓ２０１で指定された切り替え速度に基づいて、各々の表示画像を撮影順に切り替え表示する。したがって、切り替え速度が連写速度よりも早い場合には、一連の表示画像が早送りでモニタに動画表示される。また、切り替え速度が連写速度よりも遅い場合には、一連の表示画像がスローモーションでモニタに動画表示される。そして、Ｓ２０１で切り替え速度を「手動」に設定した場合、ユーザーはＣＰＵ３１に対して表示画面の切り替えを入力手段で指示できる。なお、表示終了後にＣＰＵ３１はＳ２１６に移行する。
【００３９】
ステップ２１５：この場合には、ＣＰＵ３１は、再生対象の撮影画像データをＳ２０１の画像サイズに変換して再生画像を生成する。そして、ＣＰＵ３１は、上記の再生画像をモニタに表示する。なお、Ｓ２１５で合成画像が再生表示される場合には、複数の縮小画像が１フレームに合成された状態で表示されることとなる（図１０参照）。
ステップ２１６：ＣＰＵ３１は、画像ファイルの再生を継続するか否かを判定する。上記条件に合致する場合（ＹＥＳ側）には、ＣＰＵ３１はＳ２０３に戻って次の画像ファイルを再生する。一方、上記条件に合致しない場合（ＮＯ側）には画像の再生を終了する。
【００４０】
（本実施形態の効果）
以下、本実施形態の効果を説明する。
本実施形態の画像再生装置では、ヘッダファイルの識別情報に基づいて再生対象が合成画像か否かを判断するとともに、再生対象が合成画像の場合には各々の縮小画像を切り出して撮影順に再生表示できる（Ｓ２０３、Ｓ２１１、Ｓ２１３、Ｓ２１４）。すなわち、ユーザーは合成画像データを直接再生して、各々の縮小画像に対応する表示画像を動画的に鑑賞することができる。したがって、本実施形態では、再生前に予め合成画像データを動画ファイルに変換する必要はない。
【００４１】
本実施形態では、モニタの表示画像の表示切り替えを撮影時の連写速度に合わせて自動的に行うことができる（Ｓ２１１）。また、本実施形態では、連続して撮影された合成画像が撮影順に再生された場合、先の合成画像の最終フレームから次の合成画像の第１フレームまでを実際の撮影間隔と同じ時間をおいて表示させることもできる（Ｓ２１３）。したがって、本実施形態では、各々の縮小画像に対応する表示画像を動画的に鑑賞する場合に、撮影時の状況を反映させた臨場感の高い再生表示を行うことができる。
【００４２】
本実施形態の画像再生装置では、再生画像の画像サイズに比べて個々の縮小画像の画像サイズが著しく小さい場合には、通常よりも小さい画像サイズで表示画像を生成する（Ｓ２０８）。そのため、各々の縮小画像に対応する表示画像を動画的に鑑賞する場合に、解像度が著しく低い表示画像がモニタに表示されるおそれが低減する。
本実施形態では、モニタの表示画像の表示切り替えを、任意のスピードによる自動切り替えや手動切り替えで行うこともできる（Ｓ２１４）。また、本実施形態では、複数の縮小画像を１フレームでそのまま表示することもできる（Ｓ２０４、Ｓ２１５）。したがって、本実施形態ではユーザーの意図に沿った多様な合成画像の再生を行うことができる。
【００４３】
（実施形態の補足事項）
以上、本発明を上記の実施形態によって説明してきたが、本発明の技術的範囲は上記実施形態に限定されるものではない。例えば、上記実施形態の電子カメラが画像再生装置を構成するものであってもよい。
【図面の簡単な説明】
【００４４】
【図１】本実施形態の電子カメラの構成を示すブロック図
【図２】本実施形態の電子カメラの「マルチ連写モード」での動作を説明する流れ図
【図３】合成画像の一例を示す図
【図４】本実施形態の画像再生装置の構成を示すブロック図
【図５】本実施形態の画像再生装置の動作を説明する流れ図
【図６】本実施形態の画像再生装置の動作を説明する流れ図
【図７】モニタでの表示画像の表示状態を示す図
【図８】合成画像の縮小画像ごとに再生する場合を示す説明図
【図９】連続撮影された合成画像を撮影順に再生した場合の再生間隔を示す説明図
【図１０】合成画像を１フレームとして再生する場合を示す説明図
【符号の説明】
【００４５】
１２…撮像素子、１３…Ａ／Ｄ変換部、１４…バッファメモリ、１５…画像処理部、１６…記録Ｉ／Ｆ、１７…操作部材、１８…通信Ｉ／Ｆ、１９…表示Ｉ／Ｆ、２０…モニタ、２１…ＣＰＵ、２３…記録媒体、３１…ＣＰＵ、３２…メモリ、３３…記録部、３４…通信Ｉ／Ｆ、３５…表示Ｉ／Ｆ、３６…記録媒体読取部、３７…入力手段、３８…モニタ
【図１】
2007135061.tif 000003
【図２】
2007135061.tif 000004
【図３】
2007135061.tif 000005
【図４】
2007135061.tif 000006
【図５】
2007135061.tif 000007
【図６】
2007135061.tif 000008
【図７】
2007135061.tif 000009
【図８】
2007135061.tif 000010
【図９】
2007135061.tif 000011
【図１０】
2007135061.tif 000012